(57)【要約】      （修正有）【課題】位置ずれ防止と装着及び交換のしやすさと及びマットレスの体圧分散性能を維持したマットレス用保護カバーを提供する。【解決手段】マットレス用保護カバー１の防水ポリマーシート２が合成樹脂などの高分子化合物を薄い膜状に成型した無孔状の不織物によりマットレスへの巻き込みの不可能な大きさに構成され、マットレス用保護カバー１の粘着部材３が防水ポリマーシート２のマットレス１５に対向する側に位置する面に部分的に設けられると共にマットレス１５への移行不可能な物性を有しており、マットレス用保護カバー１がマットレス１５の上面の上に広げられることにより防水ポリマーシート２がマットレス１５の上面を覆うと共に粘着部材３がマットレス１５に位置ずれしないように固定され、防水ポリマーシート２の隅部を持ち上げることでマットレス用保護カバー１を剥がすことができる。【選択図】図１
0003177314.tif 000002
【実用新案登録請求の範囲】
【請求項１】
寝具用のマットレスを被覆するマットレス用保護カバーであって、マットレスへの巻き込みの不可能な大きさの防水ポリマーシートと、防水ポリマーシートのマットレスに対向する側に位置する面に部分的に設けられかつマットレスへの移行不可能な物性を有する粘着部材とから構成されたことを特徴とするマットレス用保護カバー。
【請求項２】
防水ポリマーシートが１００％モジュラス０．１ＭＰａ乃至２０ＭＰａの物性を有することを特徴とする請求項１記載のマットレス用保護カバー。
【請求項３】
粘着部材が防水ポリマーシートの両側部又は両端部に設けられたことを特徴とする請求項１記載のマットレス用保護カバー。
【請求項４】
粘着部材が防水ポリマーシートに塗布された粘着剤により構成されたことを特徴とする請求項１記載のマットレス用保護カバー。
【請求項５】
防水ポリマーシートに塗布された粘着剤がマットレスに対して剥離後の再接着性を有する粘着剤により構成されたことを特徴とする請求項４記載のマットレス用保護カバー。
【請求項６】
粘着部材が基材の両面に粘着剤を持った両面テープにより構成されたことを特徴とする請求項１記載のマットレス用保護カバー。
【請求項７】
両面テープのマットレスに貼り付けられる粘着剤がマットレスに対して剥離後の再接着性を有する粘着剤により構成されたことを特徴とする請求項６記載のマットレス用保護カバー。
【考案の詳細な説明】
【技術分野】
【０００１】
本考案は、マットレスを覆うマットレス用保護カバーに関する。
【背景技術】
【０００２】
特許文献１で開示されたマットレス用保護カバーは、防水ポリマーシートからなり、マットレスの上面を覆う表面部とマットレスの外側面を覆う側面部とにより裏側に開口する収容部を形成し、この収容部にマットレスを収容するようになっている。このため、マットレス用保護カバーがマットレスに装着された状態にあっては位置ずれを防止できるものの、マットレス用保護カバーの四つの側面がマットレスの四つの側面と対向するようになり、しかも、頭側と足側とにおいてマットレス用保護カバーの端部がマットレスとそれを支えるフレームとの間に挿入されるようにマットレスに巻き込まれていることから、マットレス用保護カバーの装着及び交換が面倒であり、ベッド使用時に背上げなどを行うと、マットレス用保護カバーに多くの皺ができて体圧分散性能が悪くなるという欠点がある。
【先行技術文献】
【特許文献】
【０００３】
【特許文献１】実用新案登録第３１６５５９３号公報
【考案の概要】
【考案が解決しようとする課題】
【０００４】
本考案は、上記背景技術に鑑みてなされたものであり、マットレス用保護カバーの位置ずれ防止と装着及び交換のしやすさとマットレスの体圧分散性能とを維持することを目的とする。
【課題を解決するための手段】
【０００５】
本考案は、寝具用のマットレスを被覆するマットレス用保護カバーであって、マットレスへの巻き込みの不可能な大きさの防水ポリマーシートと、防水ポリマーシートのマットレスに対向する側に位置する面に部分的に設けられかつマットレスへの移行不可能な物性を有する粘着部材とから構成されたことを特徴とする。又、本考案にあっては、防水ポリマーシートが１００％モジュラス０．１ＭＰａ乃至２０ＭＰａの物性を有したり、又は、粘着部材が防水ポリマーシートの両側部又は両端部に設けられたり、又は、粘着部材が防水ポリマーシートに塗布された粘着剤により構成されたり、又は、粘着部材が基材の両面に粘着剤を持った両面テープにより構成されたり、又は、防水ポリマーシートに塗布された粘着剤又は両面テープのマットレスに貼り付けられる粘着剤がマットレスに対して剥離後の再接着性を有する粘着剤により構成されてもよい。モジュラスとは試験片に特定の伸びを与えた時の応力つまり引張応力で表した引張強さであり、１００％モジュラスとは伸び１００％時の引張応力を表す。
【考案の効果】
【０００６】
本考案は、防水ポリマーシートがマットレスへの巻き込みの不可能な大きさであり、しかも、粘着部材が防水ポリマーシートのマットレスに対向する側に位置する面に部分的に設けられかつマットレスへの移行不可能な物性を有するので、マットレス用保護カバーのマットレスへの装着と交換とが容易なうえ、ベッドの背上げ時において防水ポリマーシートが皺を発生しにくくなりマットレスの体圧分散性能を適切に発揮することができ、マットレス用保護カバーがマットレスに装着された状態における位置ずれを防止できるという効果がある。本考案にあっては、防水ポリマーシートが１００％モジュラス０．１ＭＰａ乃至２０ＭＰａの物性を有していれば、防水ポリマーシートの柔軟性により、マットレスの体圧分散性能を一層発揮することができ、褥瘡を起こしにくいという効果がある。本考案にあっては、粘着部材が防水ポリマーシートの両側部又は両端部に設けられれば、粘着部材が防水ポリマーシートの下面の全域又は中央部に設けられた場合に比べ、マットレスによる寝心地を維持すると共に、マットレスの上に展開されたマットレス用保護カバーの位置ずれ防止を向上するという効果がある。本考案にあっては、粘着部材が防水ポリマーシートに塗布された粘着剤により構成されれば、粘着部材の厚さを薄くすることができるという効果がある。本考案にあっては、粘着部材が基材の両面に粘着剤を持った両面テープにより構成されれば、構造が簡単になるという効果がある。本考案にあっては、防水ポリマーシートに塗布された粘着剤又は両面テープのマットレスに貼り付けられる粘着剤がマットレスに対して剥離後の再接着性を有する粘着剤により構成されれば、マットレス用保護カバーのマットレスへの位置調整が容易であるという効果がある。
【図面の簡単な説明】
【０００７】
【図１】実施の形態１に係るマットレス用保護カバーを示す斜視図。
【図２】実施の形態１に係るマットレス用保護カバーの粘着部材を示す正面図。
【図３】実施の形態２に係るマットレス用保護カバーを示す斜視図。
【考案を実施するための形態】
【０００８】
図１を参照し、実施形態１に係るマットレス用保護カバー１について説明する。マットレス用保護カバー１は、寝具用のマットレス１５を被覆するものであり、防水ポリマーシート２と粘着部材３とから構成される。具体的には、防水ポリマーシート２がマットレス１５への巻き込みの不可能な大きさであり、しかも、粘着部材３が防水ポリマーシート２のマットレス１５に対向する側に位置する面に部分的に設けられかつマットレス１５への移行不可能な物性を有するので、マットレス用保護カバー１のマットレス１５への装着とマットレス用保護カバー１の交換とが容易なうえ、マットレス用保護カバー１がマットレス１５に装着された状態における位置ずれを防止できる。マットレス１５への移行不可能な物性とは、マットレス用保護カバー１をマットレス１５から剥がす場合において、粘着部材３の一部が粘着部材３から剥がれることなくマットレス１５にも残らないことである。
【０００９】
防水ポリマーシート２のマットレス１５への巻き込みの不可能な大きさとしては、マットレス１５の上面の長い方向の寸法Ｌよりも短い長さとマットレス１５の上面の短い方向の寸法Ｈよりも長い横幅とを有する方形状を例示したが、防水ポリマーシート２の長さがマットレス１５の上面の長い方向の寸法Ｌと同じか又は長くてもよく、防水ポリマーシート２の横幅がマットレス１５の上面の短い方向の寸法Ｈと同じか又は短くてもよい。
【００１０】
防水ポリマーシート２の大きさとしては、防水ポリマーシート２をマットレス１５の上面の上に広げた場合に、防水ポリマーシート２の端がマットレス１５の上面の上に配置されるか又はマットレス１５の上面から側面の側に垂れ下がってもよいが、防水ポリマーシート２の端をマットレス１５とベッドのフレーム１３との間に挿入することが不可能な大きさであればよい。つまり、防水ポリマーシート２が、マットレス１５の上面から側面を経てマットレス１５の下面へと巻き込まれることの不可能な大きさであればよい。
【００１１】
防水ポリマーシート２は、合成樹脂などの高分子化合物を薄い膜状に成型したフィルム又はシート又は膜又は箔等と称される材料からなる方形であり、水の浸透を防ぐ無孔状になっており、織物でない不織物であり、高分子化合物として例えばポリ塩化ビニル、エチレン酢酸ビニル共重合体、ウレタン、ポリエチレン、ナイロンがあり、１００％モジュラス０．１ＭＰａ乃至２０ＭＰａの物性を有してマットレス１５の寝心地とりわけ体圧分散性能を発揮させるようになっている。
【００１２】
粘着部材３は、防水ポリマーシート２のマットレス１５に対向する側に位置する面に部分的に設けられかつマットレス１５への移行不可能な物性を有するので、防水ポリマーシート２をマットレス１５の上に展開した場合でのマットレス１５に対する防水ポリマーシート２の横ずれ等の位置ずれを防止する。以下の説明では、防水ポリマーシート２のマットレス１５に対向する側に位置する面は、防水ポリマーシート２の下面と称する。
【００１３】
粘着部材３は、防水ポリマーシート２の下面の全域又は中央部に設けられてもよいが、図１に示すように防水ポリマーシート２の両側部又は図３に示すように両端部に設けられれば、防水ポリマーシート２の下面の全域又は中央部に設けられた場合に比べ、粘着部材３がマットレス１５に横になった人から離れて位置するので、防水ポリマーシート２をマットレス１５の上に展開した場合でのマットレス１５に対する防水ポリマーシート２の横ずれ等の位置ずれを防止する性能つまりマットレス用保護カバー１の位置ずれ防止が向上する。防水ポリマーシート２の両側部とは、マットレス１５の短い方向の寸法Ｈの側である。
【００１４】
又、図１では、粘着部材３が防水ポリマーシート２の両側部に設けられたので、マットレス用保護カバー１が介護の現場において失禁で漏れた尿をマットレス１５に浸透しないように防水するように使用された場合において、マットレス用保護カバー１を交換する際には、例えば、被介護者が左右の粘着部材３の間に横になっている状態において、介護者が防水ポリマーシート２の一方の側部をめくり上げて一方の粘着部材３を内側に巻き込みながら被介護者の側に巻き取り、次に、介護者が被介護者を防水ポリマーシート２の巻き取られた側のマットレス１５の上に移した後、介護者が防水ポリマーシート２の他方の側部をめくり上げて他方の粘着部材３を内側に巻き込みながら被介護者の側に巻き取ることができる。
【００１５】
粘着部材３が防水ポリマーシート２の両側部の端より中心の側に寄って設けられているので、展開されたマットレス用保護カバー１が粘着部材３でマットレス１５に固定された場合において、防水ポリマーシート２の粘着部材３よりも外側の部分がマットレス１５に固定されていないので、その固定されていない防水ポリマーシート２の粘着部材３よりも外側の部分を人が手で持ち上げて上方に引き上げることにより、粘着部材３がマットレス１５の表皮材から剥がれて、マットレス用保護カバー１がマットレス１５から取り外せる。
【００１６】
マットレス用保護カバー１の使用されるベッド１１は、複数個の脚１２で床に支持されたフレーム１３にヘッドボード１４を取り付けた、図外の背上げ機能を有する介護用ベッドを例示する。フレーム１３の上に置かれたマットレス１５としては、スプリングマットレス、フォームマットレス、ロックマットレス、エアーマットレスの何れでも使用可能であるが、独立した複数個の図外のセルをフレーム１３の長い方向に並列に配置した体圧分散性能の有るエアーマットレスを例示する。
【００１７】
ヘッドボード１４に装着された制御ボックス１６の制御に基づき図外の配管を経由して圧縮空気をエアーマットレスにおける複数のセルに供給したりエアーマットレスにおける複数のセルから圧縮空気を排気したりすることにより、マットレス１５が床ずれ等の褥瘡を防止するようになっている。
【００１８】
マットレス用保護カバー１が図１に示すようにマットレス１５の上面の上に広げられて粘着部材３で固定された後、敷布１７がマットレス用保護カバー１及びマットレス１５の上に展開される。敷布１７は、木綿製の織布からなる一体の布状である。敷布１７の大きさは、敷布１７がマットレス用保護カバー１及びマットレス１５の上に広げられた場合に、例えば、介護の現場における通常の使用態様のように、敷布１７の端をマットレス１５とベッド１１のフレーム１３との間に巻き込んで使用できる、大きさであればよい。
【００１９】
図１では、粘着部材３を防水ポリマーシート２の長い方向の寸法Ｌに平行する方向に長い帯状として例示したが、防水ポリマーシート２の長い方向の寸法Ｌに平行する方向で複数個に別れた造形でもよい。つまり、粘着部材３がシール裏に糊の付いたシール又はラベルのような小片に形成され、この小片に形成された複数個の粘着部材３が防水ポリマーシート２の長い方向の寸法Ｌに平行する方向に隙間をあけて配置された態様でもよく、防水ポリマーシート２の四隅に配置された態様でもよい。又、粘着部材３は、防水ポリマーシート２に塗布された粘着剤により構成されてもよい。この粘着部材３を構成する防水ポリマーシート２に塗布された粘着剤が防水ポリマーシート２に接着しやすい物性を有すると共にマットレス１５の表皮材に対して剥離後の再接着性を有する粘着剤により構成されれば、粘着部材３がマットレス１５から剥がしやすい。
【００２０】
図２を参照し、実施の形態１に係る粘着部材３について説明する。粘着部材３は、合成樹脂からなる帯状の基材４の両面に粘着剤５；６を持った両面テープにより構成されたので、粘着部材３の構造が簡単である。粘着剤５は、基材４及び防水ポリマーシート２に接着しやすい物性を有する粘着剤が用いられる。
【００２１】
粘着剤６は、付箋用糊などに使われるような剥離後の再接着性を持たせた粘着剤のように、マットレス１５の表皮材に対して剥離後の再接着性を有する粘着剤により構成されており、粘着部材３がマットレス１５から剥がしやすい。つまり、粘着部材３を構成する両面テープにあっては、基材４及び防水ポリマーシート２に対する粘着剤５の結合力がマットレス１５に対する粘着剤６の結合力より高いようになっている。
【００２２】
尚、図２には図示を省略したが、粘着剤６のマットレス１５に対向する側に位置する面は図外の剥離紙で覆われており、マットレス用保護カバー１がマットレス１５の上に展開されて粘着部材３でマットレス１５に固定される場合、上記剥離紙を剥がして使用するように、粘着部材３は構成されている。図２では、防水ポリマーシート２がマットレス１５から粘着部材３の厚さだけ平行に離れた態様を図示したが、粘着部材３の厚さは防水ポリマーシート２と同じくらいに薄い構成であり、防水ポリマーシート２の柔軟な物性を有するので、防水ポリマーシート２の粘着部材３を除く部分がマットレス１５の上に接触し、防水ポリマーシート２のマットレス１５よりも横に出た部分がマットレス１５に沿って垂れ下がる態様になる。
【００２３】
図３を参照し、実施の形態２に係るマットレス用保護カバー１について説明する。図３に示すマットレス用保護カバー１は、粘着部材３の設けられる部位が図１に示すマットレス用保護カバー１と相違する。具体的には、粘着部材３が防水ポリマーシート２の両端部に設けられる。防水ポリマーシート２の両端部とは、マットレス１５の長い方向の寸法Ｌの側である。
【００２４】
図３では、粘着部材３を防水ポリマーシート２の短い方向の寸法Ｈに平行する方向に長い帯状として例示したが、防水ポリマーシート２の短い方向の寸法Ｈに平行する方向で複数個に別れた造形でもよい。つまり、粘着部材３がシール裏に糊の付いたシール又はラベルのような小片に形成され、この小片に形成された複数個の粘着部材３が防水ポリマーシート２の短い方向の寸法Ｈに平行する方向に隙間をあけて配置された態様でもよく、防水ポリマーシート２の四隅に配置された態様でもよい。又、粘着部材３は、防水ポリマーシート２に塗布された粘着剤により構成されてもよく、図２に示す両面テープにより構成されてもよい。上記粘着部材３を構成する防水ポリマーシート２に塗布された粘着剤が防水ポリマーシート２に接着しやすい物性を有すると共にマットレス１５の表皮材に対して剥離後の再接着性を有する粘着剤により構成されれば、又は、上記粘着部材３を構成する両面テープにおける図２に示す粘着剤６がマットレス１５の表皮材に対して剥離後の再接着性を有する粘着剤により構成されれば、粘着部材３がマットレス１５から剥がしやすい。
【符号の説明】
【００２５】
１はマットレス用保護カバー、２は防水ポリマーシート、３は粘着部材、４は基材、５；６は粘着剤、７乃至１０は欠番、１１はベッド、１２は脚、１３はフレーム、１４はヘッドボード、１５はマットレス、１６は制御ボックス、１７は敷布、Ｌは長い方向の寸法、Ｈは短い方向の寸法。
【図１】
0003177314.tif 000003
【図２】
0003177314.tif 000004
【図３】
0003177314.tif 000005